(57)【特許請求の範囲】
【請求項１】
種類の異なる内容物をそれぞれ充填し並べられた２つの容器をその口部において保持するベース部分と、このベース部分に連結されレバー操作によって各容器内の内容物を吸引するとともに加圧、圧送するポンプ部分と、このポンプ部分にて圧送された内容物を合流、混合させたのち外界へ向けて排出するノズル部分とを備えた２連式吐出器であって、
前記ベース部分は、容器の内部につながる開口を有し各容器の口部先端に嵌合して容器とポンプ部分との相互間を気密状態に保持する接続部材と、この接続部材の外側壁を取り囲む壁部を有するホルダー部分からなり、
前記ホルダー部分に、容器の口部下端に設けられた環状の凹部にて弾性変位可能に係止され該接続部材からの容器の引き抜けを阻止する斜め上向きの係止爪を有するフラップを設け、
前記接続部材が、容器の各口部につながる開口を有する単一の基体と、この基体に一体成形され該容器の口部内壁面及び外壁面に合わさってその相互間に形成された溝部において容器の口部先端を差し込む内外二重の筒体からなる、ことを特徴とする２連式吐出器。
【請求項２】
外側に位置する筒体の内側壁と容器の口部外壁面との間に、その相互間での気密性を高めるＯリングを配置した、請求項１記載の２連式吐出器。
【請求項３】
前記ホルダー部分は、容器の胴体に沿って伸延する舌片状のガードを有する、請求項１又は２記載の２連式吐出器。
【発明の詳細な説明】
【技術分野】
【０００１】
本発明は、２つの容器内に充填された種類の異なる内容物をレバーによる操作でそれぞれの容器から同時に吐出させ、使用直前において混合するのに適した２連式吐出器に関するものであり、該吐出器を構成する部材の連結部位における気密性を高め、内容物の効率的な排出を実現しようとするものである。
【背景技術】
【０００２】
近年、毛染め剤や洗顔フォーム、トリートメント等においては組成の異なる２種類の内容物を使用直前に混ぜて使用するものが商品として流通してきている。
【０００３】
かかる商品は、それぞれの内容物をそれぞれ個別の容器に充填してそれを１セットにして販売されているのが普通であり、使用に際してはそれぞれの容器から所定の割合になるように内容物を個別に注出して混合する煩雑な作業が必要になっていた。
【０００４】
上記のような従来の問題を解消したものとしては、各容器の口部にポンプ装置の吸引口を接続して該ポンプ装置を手動でもって駆動することで各容器から同時に内容物を注出する吐出装置が知られている(例えば特許文献１参照)が、ポンプ装置を手で駆動する吐出装置は容器の口部との連結部位において気密性がルーズになっている場合にその部位から空気を吸い込んでしまい容器内の内容物を効率的に排出することができないこともあって（とくに２連式吐出器にあっては部材相互間でのがたつき等も生じ易く空気の吸い込みが顕著となる）未だ改良の余地が残されていた。
【特許文献１】特開2005−126144号公報
【発明の開示】
【発明が解決しようとする課題】
【０００５】
本発明の課題は、容器との連結部位における気密性を高めてレバーの操作によって容器内の内容物を効率よく排出することができる２連式吐出器を提案するところにある。
【課題を解決するための手段】
【０００６】
本発明は、種類の異なる内容物をそれぞれ充填し並べられた２つの容器をその口部において保持するベース部分と、このベース部分に保持されレバー操作によって各容器内の内容物を吸引するとともに加圧、圧送するポンプ部分と、このポンプ部分にて圧送された内容物を合流、混合させたのち外界へ向けて排出するノズル部分とを備えた２連式吐出器であって、
前記ベース部分は、容器の内部につながる開口を有し各容器の口部先端に嵌合して容器とポンプ部分との相互間を気密状態に保持する接続部材と、この接続部材の外側壁を取り囲む壁部を有するホルダー部分からなり、
前記ホルダー部分に、容器の口部下端に設けられた環状の凹部にて弾性変位可能に係止され該接続部材からの容器の引き抜けを阻止する斜め上向きの係止爪を有するフラップを設け、
前記接続部材が、容器の各口部につながる開口を有する単一の基体と、この基体に一体成形され該容器の口部内壁面及び外壁面に合わさってその相互間に形成された溝部において容器の口部先端を差し込む内外二重の筒体からなる、ことを特徴とする２連式吐出器である。
【０００８】
また、外側に位置する筒体の内側壁と容器の口部外壁面との間には、その相互間での気密性を高めるためにＯリングを配置することが可能であり、さらに、前記ホルダー部分には、容器の胴体に沿って伸延する片持ち支持（一端を固定し他端をフリーにした支持形態）になる舌片状のガードを設けることもできる。
【発明の効果】
【０００９】
ベース部分の構成部材である接続部材は、その外側でホルダー部分によって取り囲まれていることから該接続部材ががたつくことがなく、容器と吐出器の連結部位は高い気密状態に保たれる。
【００１０】
容器の口部先端を接続部材に嵌合させるとき、ホルダー部分に設けられたフラップは簡単に弾性変位することになるので該嵌合に際しては何らの支障も来たすことなく簡単にセットできるが、容器の口部先端を接続部材から引き離すような力が作用した場合に、該フラップが容器の口部下端で突き当たってその引き抜けを阻止するように作用するため容器がベース部分から容易に切り離されることはない。
【発明を実施するための最良の形態】
【００１１】
以下、図面を用いて本発明をより具体的に説明する。
図１は本発明に従う２連式吐出器に容器を装着した状態の外観斜視図であり、図２はその分解斜視図である。また、図３、図４はその側面及び背面をそれぞれ断面で示した図である。
【００１２】
図において１、２は種類の異なる内容物をそれぞれ充填した容器、３は容器１、２をその口部1a、2aで保持するベース部分である。
【００１３】
ベース部分３は接続部材3aとホルダー部分3bからなっており、接続部材3aにおける3a１は容器１、２の各口部1a、2aにつながる開口h１、h２を有する単一の基体、また、3a２、3a３は基体3a１に一体成形され容器１、２の口部内壁面及び外壁面に合わさりその相互間にて形成された溝部ｍにおいて容器１、２の口部先端を差し込む内外二重の筒体であり、ホルダー部分3bの3b１は斜め上向きの係止爪を有するフラップである。このフラップ3b１は切欠ｋ（図２参照）を設けることによって弾性変位可能になっている。
【００１４】
また、４はベース部分３の接続部材3aに設けられた筒体3a４、3a５に連結されレバーＬの操作でもって容器１、２内の内容物を同時に吸引、加圧、圧送するポンプ部分である。このポンプ部分４は管体５、６に個別につながる吸排口t１〜t３を有しその内部に２つの空間領域S１、S２を区画形成する同心二重のシリンダー4aと、このシリンダー4aの各空間領域S1、S2  にそれぞれ往復移動可能に弾性支持され、レバーＬの操作で同期駆動させて各容器本体１、２内の内容物を同時に吸引、加圧、ノズル部分へ向けて圧送する２つのピストン4b、4cからなる。
【００１５】
さらに、７はポンプ部分４にて圧送された内容物を合流、混合させたのち外界へ向けて排出するノズル部分、８、９はポンプ部分４の入側でベース部分３の開口h１、h２を塞ぐように配置された吸入弁、10、11はポンプ部分４の出側に配置された吐出弁、12、13は内外二重の筒体3a２、3a３の外側に位置する筒体の内側壁と容器１、２の口部外壁面との間に配置されたＯリング、そして、14はホルダー部分3bに一体的に設けられ容器１、２の胴体に沿って伸延する舌片状のガードである。
【００１６】
容器１、２の口部先端を接続部材3aの溝部ｍに差し込んで嵌合させると容器１、２とポンプ部分４との相互間は気密状態に保たれることとなり、ホルダー部分3bは接続部材3aを取り囲み上下方向の一定位置に保持される。この状態で、ホルダー部分3bの上部端面と接続部材3aの基体3a１のフランジ部下面とは面接触となり、該接続部材3aが容器１、２に対してがたつくことがない。なお、ホルダー部分3bは取り付けに際して接続部材3aを上方に強く付勢しないように注意することが肝要となる。
【００１７】
容器１、２の口部先端を接続部材3aの溝部ｍに嵌合させるだけで空気の侵入は回避されるが、内外二重の筒体3a２、3a３の外側に位置する筒体の内側壁と容器１、２の口部外壁面との間にＯリング12、13を配置すると２段階シールとなるのでその部位の気密性がより一層高くなる。
【００１８】
容器１、２の口部1a、2aの下端にはその周りに沿って予め環状の凹部C１、C２を設けておくことができ、ホルダー部分3bに設けたフラップ3b１の係止爪を該凹部C１、C２に係止することで容器１、２の吐出器からの引き抜けを防止する。
【００１９】
フラップ3b１に斜め上向きの係止爪を設けると容器１、２の口部1a、2aをベース部分３に差し込むだけの簡単な動作で吐出器との連結が可能となる。  
【００２０】
容器１、２の口部1a、2aをベース部分３に差し込むに当たってはフラップ3b１をある程度弾性変位させる必要があり、その変位量は切欠ｋのサイズを適宜変更することで調整する。
【００２１】
ポンプ部分４はポンプカバー4dの裏側でベース部分３（ホルダー部分3b）にアンダーカットｕによって係合させることが可能であり、これにより吐出器と容器１、２との連結姿勢を安定させることができる。
【００２２】
ガード14は容器１、２を保護するのに有用であるが、ベルトに差し込んで持ち運ぶときの吊り下げ冶具として機能させることも可能であり、さらに、ガード14の先端部を外側に弾性変形させて凹部c１、c２におけるフラップ3b１の係止を解除して容器１、２を抜き取る時にも役立つ。このガード14は一箇所にのみ設けた場合を例として示したが、両側に設けることもできる。
【００２３】
容器１、２内の内容物を排出するには以下の手順に従う。
まず、枢支軸L１を支点にしてレバーＬを図３の仮想線の如く動かしてピストン4b、4cをスプリングＰの弾性力に抗して押し込み、その状態からレバーＬにかかる負荷を取り除く。そうすると、ピストン4b、4cを弾性支持するスプリングＰの復元力にてレバーＬはピストン4b、4cとともに初期位置へと復帰し、この時、シリンダー4a内が負圧となるため容器１、２内の内容物が吸入弁８、９を通って管体５、６、シリンダー4a内へと吸引される。
【００２４】
レバーＬを再び動かしピストン4b、4cを押し込むと管体５、６、シリンダー4a内に存在する内容物は加圧され、所定の圧力に達した時点で加圧された内容物は吐出弁10、11を経てノズル部分７へと圧送、次いで混合されてノズル部分先端から外界へと排出される。
【００２５】
上記の構成になる２連式吐出器は、ポンプ部分４を構成するシリンダー4aがその内部において２つの空間領域S1、S2  を形成する同心二重になっており、構造の簡素化、小型化が可能であり、片手で容器を把持しながらレバー操作によって内容物の排出が行なえる利点を有する。
【００２６】
容器１、２を付け替えるに当たっては、各容器の口部1a、2aをホルダー部分3bから切り離せばよいが、好ましくは、ホルダー部分3bと容器１、２を一体物として付け替え操作を行う。この場合、容器１、２の口部1a、2aには予めアルミシール等で封印しておくのがよく、これにより付け替え作業が容易となり、その際に液垂れ等を起こすこともなくなる。
【産業上の利用可能性】
【００２７】
吐出器と容器とがベース部分を介して確実に連結された気密性の高い２連式吐出器が提供できる。
【図面の簡単な説明】
【００２８】
【図１】本発明に従う２連式吐出器の実施の形態を示した外観斜視図である。
【図２】図１に示した２連式吐出器の分解斜視図である。
【図３】図１に示した吐出器の側面を断面で示した図である。
【図４】図１に示した吐出器の背面を断面で示した図である。
【符号の説明】
【００２９】
１  容器
1a  口部
２  容器
2a  口部
３  ベース部分
3a  接続部材
3a１  基体
3a２  二重の筒体
3a３  二重の筒体
3b  ホルダー部分
3b１  フラップ
４  ポンプ部分
4a  シリンダー
4b  ピストン
4c  ピストン
５  管体
６  管体
７  ノズル部分
８  吸入弁
９  吸入弁
10  吐出弁
11  吐出弁
12  Ｏリング
13  Ｏリング
14  ガード
ｍ  溝部
h１、h２  開口
S１、S２  空間領域
Ｐ  スプリング
C１、C２  凹部
ｋ  切欠
ｕアンダーカット
【図１】
0004738989.tif 000002
【図２】
0004738989.tif 000003
【図３】
0004738989.tif 000004
【図４】
0004738989.tif 000005